(57)【特許請求の範囲】
【請求項１】
第１モードと第２モードと第３モードとを切り替えていずれか１つのモードを設定可能な設定手段と、
前記設定手段により前記第１モードが設定されているとき、第１操作部を介する入力を許可する許可状態に設定し、前記第１操作部とは異なる第２操作部を介する入力を許可する許可状態に設定し、
前記設定手段により前記第３モードが設定されているとき、前記第１操作部を介する入力に関して前記許可状態又は前記第１操作部を介する入力を禁止する禁止状態を選択するためのユーザー操作を可能にし、前記第２操作部を介する入力に関して前記許可状態又は前記第２操作部を介する入力を禁止する禁止状態を選択するためのユーザー操作を可能にし、
前記設定手段により前記第２モードが設定されているとき、前記設定手段により前記第３モードが設定されているときに前記第１操作部を介する入力に関して前記ユーザー操作により選択された前記許可状態又は前記禁止状態と前記設定手段により前記第３モードが設定されているときに前記第２操作部を介する入力に関して前記ユーザー操作により選択された前記許可状態又は前記禁止状態とにかかわらず、前記第１操作部を介する入力を禁止する前記禁止状態に設定し、前記第２操作部を介する入力を禁止する前記禁止状態に設定するよう制御する制御手段とを備えること
を特徴とする制御装置。
【請求項２】
請求項１に記載の制御装置において、
前記設定手段は、前記第１モードと前記第２モードと前記第３モードと第４モードとを切り替えていずれか１つのモードを設定可能であり、
前記設定手段により前記第４モードが設定されているとき、前記制御手段は、前記設定手段により前記第３モードが設定されているときに前記第１操作部を介する入力に関して前記ユーザー操作により選択された前記許可状態又は前記禁止状態に設定し、前記設定手段により前記第３モードが設定されているときに前記第２操作部を介する入力に関して前記ユーザー操作により選択された前記許可状態又は前記禁止状態に設定するよう制御すること
を特徴とする制御装置。
【請求項３】
請求項１又は請求項２に記載の制御装置において、
前記制御手段は、前記第１操作部を機械的に動作不能とすることで前記禁止状態に設定し、前記第２操作部を機械的に動作不能とすることで前記禁止状態に設定するよう制御すること
を特徴とする制御装置。
【請求項４】
請求項１から請求項３のいずれか一項に記載の制御装置を備えるカメラ。
【請求項５】
請求項２又は請求項３に記載の制御装置を備えるカメラであって、
撮影モードとしてオートが選択されているとき、前記制御手段は、前記第４モードを設定できないように制御すること
を特徴とするカメラ。
【発明の詳細な説明】
【０００１】
本発明は、制御装置及びカメラに関する。
【０００２】
【従来の技術】
従来より、カメラのモードを設定する場合、操作部材を操作することにより使用者の希望するモードを選択することが可能であった。また、所定の操作部材を操作することにより、使用者の希望とするモードを固定し、以降の入力を無効にさせるものがあった（特開平８−２２０５８２号公報、特開平８−２２０５８３号公報）。
【０００３】
【発明が解決しようとする課題】
しかしながら、入力を禁止することが不可能な操作部材については、気付かないうちに操作部材に触れることにより誤信号が入力され、使用者の希望しないモードが選択されることがある。そのため、シャッターチャンスを逃したり、納得のいかない画像を得ることとなる場合があった。
【０００４】
また、入力を無効にする操作部材を特定した場合でも、入力が有効な操作部材では、上記と同様の改善余地があった。
【０００５】
本発明は、操作部を誤操作することによる入力を防止することが可能な制御装置及びカメラの提供を目的とする。
【０００６】
【課題を解決するための手段】
請求項１に記載の制御装置は、第１モードと第２モードと第３モードとを切り替えていずれか１つのモードを設定可能な設定手段と、前記設定手段により前記第１モードが設定されているとき、第１操作部を介する入力を許可する許可状態に設定し、前記第１操作部とは異なる第２操作部を介する入力を許可する許可状態に設定し、前記設定手段により前記第３モードが設定されているとき、前記第１操作部を介する入力に関して前記許可状態又は前記第１操作部を介する入力を禁止する禁止状態を選択するためのユーザー操作を可能にし、前記第２操作部を介する入力に関して前記許可状態又は前記第２操作部を介する入力を禁止する禁止状態を選択するためのユーザー操作を可能にし、前記設定手段により前記第２モードが設定されているとき、前記設定手段により前記第３モードが設定されているときに前記第１操作部を介する入力に関して前記ユーザー操作により選択された前記許可状態又は前記禁止状態と前記設定手段により前記第３モードが設定されているときに前記第２操作部を介する入力に関して前記ユーザー操作により選択された前記許可状態又は前記禁止状態とにかかわらず、前記第１操作部を介する入力を禁止する前記禁止状態に設定し、前記第２操作部を介する入力を禁止する前記禁止状態に設定するよう制御する制御手段とを備えることを特徴とする。
請求項４に記載のカメラは、請求項１から請求項３のいずれか一項に記載の制御装置を備える。
請求項５に記載のカメラは、請求項２又は請求項３に記載の制御装置を備えるカメラであって、撮影モードとしてオートが選択されているとき、前記制御手段は、前記第４モードを設定できないように制御することを特徴とする。
【００１１】
【発明の実施の形態】
以下、本発明の実施の形態を図面に基づいて説明する。
【００１２】
図１〜図６は、操作パネルの第１実施形態を示す背面図、フローチャート、およびブロック結線図である。
【００１３】
図１において、ロックスイッチ１００は、モード変更用操作部材の入力を禁止するスイッチである。本体１０ａおよび上カバー１０ｂが、カメラの外形を構成している。操作部材２０ａおよび２０ｂは、ダイヤル式の操作部材である。操作部材２１ａ、２１ｂ、２１ｃ、および２２は、押しボタン式の操作部材であり、モードを変更あるいは達成するための手段として使用される。
【００１４】
ロックスイッチ１００の詳細は後述するが、レバー１００ａを回転させることでロックモードに入り、操作部材２０ａ、２０ｂ、２１ａ、２１ｂ、２１ｃ、および２２での入力が禁止となる。なお、操作部材は上述したダイヤル式や押しボタン式のものに限定されることはない。
【００１５】
図２は、ロックスイッチ１００がＯＦＦの状態を示している。即ち、操作部材２０ａ、２０ｂ、２１ａ、２１ｂ、２１ｃ、および２２による入力が通常通り行われ得る状態である。図３は、ロックスイッチ１００がＡＬＬ  ＬＯＣＫの状態を示している。即ち、操作部材２０ａ、２０ｂ、２１ａ、２１ｂ、２１ｃ、および２２による入力が現状においてすべてロックされる状態である。即ち、主電源ＯＮ時、全操作部材２０ａ、２０ｂ、２１ａ、２１ｂ、２１ｃ、および２２の入力が禁止される。
【００１６】
図４は、使用者がロックする操作部材２０ａ、２０ｂ、２１ａ、２１ｂ、２１ｃ、および２２を選択できる状態を示している。主電源ＯＮ後、ロックスイッチ１００のレバー１００ａをＳＥＴの位置に合わせ、使用者が操作部材２０ａ、２０ｂ、２１ａ、２１ｂ、２１ｃ、および２２で希望のモードを入力し、さらにロックスイッチ１００のレバー１００ａを回転してＬＯＣＫの位置に合せることで、ＳＥＴの位置において入力したモードがロックされ、以降の信号入力が禁止となる。例えば、図１中の操作部材２０ａのようなダイヤル式では回転不能となり、操作部材２１ａのような押しボタン式では押圧操作が不能となる。ロックされるモードは、入力信号を送信することで認識されるので、電源ＯＮ時に既に初期設定で希望のモードに設定されていても、再度信号を送信する必要がある。また、ＳＥＴの状態で信号が入力されなかった操作部材２０ａ、２０ｂ、２１ａ、２１ｂ、２１ｃ、および２２は、ＬＯＣＫ後であっても、ＯＦＦ時と同様にモードを変更するための入力が可能となる。さらにＳＥＴの状態で全ての操作部材２０ａ、２０ｂ、２１ａ、２１ｂ、２１ｃ、および２２に入力信号を与えた後にＬＯＣＫとした場合には、図３のＡＬＬ  ＬＯＣＫと同様の状態となる。
【００１７】
ＳＥＴの状態で、シャッターレリーズスイッチ３１（図４）を入力操作した場合、他の操作部材が入力可能であっても、事実上は撮影禁止となる。入力禁止の状態から設定し直す時は、レバー１００ａをＬＯＣＫの位置からＳＥＴの位置にして再設定する。さらにレバー１００ａをＯＦＦの位置へ回転させれば、入力禁止の状態から解除される。主電源ＯＦＦ時にロックスイッチ１００をＯＮ（ＯＦＦ以外に合せること）にし、その後に主電源をＯＮとした場合には、入力は果たさず、その場合はレバー１００ａをＯＦＦの位置に戻し、その後再度レバー１００ａをＳＥＴの位置へ回転させ、ＬＯＣＫのための準備段階に入る。また、ロックスイッチ１００をＯＮにした後に操作部材２０ａ、２０ｂ、２１ａ、２１ｂ、２１ｃ、および２２を稼動させると、シャッターレリーズスイッチ３１（図４）のＯＮでファインダー内などに警告が発せられ、使用者へ注意を促す機能が付加されていることが好ましい。
【００１８】
なお、図４の回路に限定されることなく、カメラに設けられているスイッチを直接操作する場合だけでなく、遠隔操作やコードを使用しての設定も可能である。また、撮影モードでオートを選択した場合、ＬＯＣＫスイッチ３５は使用不能となる。
【００１９】
次に、上記の構成による効果的な使用方法を具体的に例示する。
［例１］
【００２０】
シャッターレリーズを禁止する。主電源ＯＮの状態で一時的にカバンにしまう際など、誤ってレリーズボタンを押してしまいそうな環境下で、無駄な撮影を回避することが可能となる。いざ撮影に移る際にも、レバー１００ａを回転させるだけで、ウェィクアップ時間がかからず、素早い対応を必要とする撮影には効果が期待できる。
［例２］
【００２１】
裏蓋（背面）側にある操作部材２０ａ、２０ｂ、２１ａ、２１ｂ、２１ｃ、および２２の全てを、希望のモードでロックする。主電源ＯＮの状態でカメラを肩に掛け、人混みを移動する時など、体とカメラの裏蓋側がこすれ、操作部材２０ａ、２０ｂ、２１ａ、２１ｂ、２１ｃ、および２２に触れてしまうことが考えられる。撮影時に主電源ＯＮの状態のままで移動する撮影者も多いと報告されていることから、効果が大いに期待できる。
【００２２】
図４はカメラの内蔵回路を示すブロック結線図、図５は制御回路３７の動作を説明するフローチャート、図６は図５のフローチャートを補充説明する概念図である。
【００２３】
図４に示すように、カメラの内蔵回路は制御回路３７に対する入出力回路として構成される。ＡＬＬ  ＬＯＣＫスイッチ３０は、レバー１００ａをＡＬＬ  ＬＯＣＫの位置に合わせたときにスイッチが入るものである。レリーズスイッチ３１は、シャッターレリーズ釦（図示せず）の半押しによりスイッチが入るものである。レリーズスイッチ３２は、シャッターレリーズ釦の全押しによりスイッチが入るものである。ＯＦＦスイッチ３３は、レバー１００ａをＯＦＦの位置に合わせたときにスイッチが入るものである。ＳＥＴスイッチ３４は、レバー１００ａをＳＥＴの位置に合わせたときにスイッチが入るものである。ＬＯＣＫスイッチ３５は、レバー１００ａをＬＯＣＫの位置に合わせたときにスイッチが入るものである。
【００２４】
主電源スイッチ３６は、カメラ全体の電源ＯＮ・ＯＦＦを制御するスイッチであり、制御回路３７には主電源スイッチ３６のＯＮ・ＯＦＦ状態を検出するために接続されている。機能入力装置３８、撮影装置４０、および撮影モードオート装置４１は、制御回路３７に接続されて通常のカメラとしての撮影機能を発揮する装置である。機能ロック装置３９は、制御回路３７からの指令を受けて、操作部材２０ａ、２０ｂ、２１ａ、２１ｂ、２１ｃ、および２２の機能をロックおよびアンロックする装置である。
【００２５】
次に、図６に示す操作が行われたときの制御回路３７の動作を、図５のフローチャートに従って説明する。
【００２６】
プログラムがスタートすると、ステップＳ１で主電源スイッチ３６のＯＮ・ＯＦＦ状態を検出する。主電源スイッチ３６がＯＦＦのときは、直ちにプログラムを終了する。主電源スイッチ３６がＯＮのときはステップＳ２に移行する。
【００２７】
ステップＳ２では、ＯＦＦスイッチ３３が入っていないか否かを検出する。ＯＦＦスイッチ３３が入っているとき（レバー１００ａがＯＦＦの位置にあるとき）は、図６（ａ）の状態ではないので、モード変更のプログラムを終了する。ＯＦＦスイッチ３３が入っていないときは、ステップＳ３に移行する。ステップＳ３では、ＳＥＴスイッチ３４が入っているか否かを検出する。ＳＥＴスイッチ３４が入っていないとき（レバー１００ａがＳＥＴの位置にないとき）は、図６（ａ）の状態ではないので、モード変更のプログラムを終了する。ＳＥＴスイッチ３４が入っているときは、ステップＳ４に移行する。
【００２８】
ステップＳ４では、ＳＥＴスイッチ３４が入っている状態から入らなくなる状態に変化するのを待って、ステップＳ５に移行する。ステップＳ５では、ＬＯＣＫスイッチ３５が入っているか否かを検出する。ＬＯＣＫスイッチ３５が入っていないとき（レバー１００ａがＬＯＣＫの位置にないとき）は、図６（ｂ）の状態に変化していないのでステップＳ４に戻り、上述した動作を繰り返す。ＬＯＣＫスイッチ３５が入っているときは、ステップＳ６に移行する。
【００２９】
以上で説明したステップＳ２〜ステップＳ５において、カメラの使用者が操作部材２０ａ、２０ｂ、２１ａ、２１ｂ、２１ｃ、および２２によるモード変更を必要としない（ロックを必要とする）場合には、レバー１００ａをＯＦＦの位置からＳＥＴの位置へ移動させる。レバー１００ａがＳＥＴの位置にあるときに（図６（ａ））、選択すべき操作部材２０ａ、２０ｂ、２１ａ、２１ｂ、２１ｃ、および２２に必要なモードを入力もしくは表示させ、続いてレバー１００ａをＬＯＣＫの位置に移動させる（図６（ｂ））。この時点で、操作部材２０ａ、２０ｂ、２１ａ、２１ｂ、２１ｃ、および２２によるモードの変更は行われなくなる。即ち、ロックされた状態となる。
【００３０】
図５のステップＳ６では撮影処理を行い、ステップＳ７で撮影が終了したか否かを判断する。撮影が終了したときは、プログラムを終了する。撮影が終了していないと判断したときはステップＳ８に移行する。
【００３１】
ステップＳ８では、撮影を実行しようとした際、撮影者が急遽モードの再変更を希望する場合や、被写体の状態が急激に変化したときに対応し、モードの変更を必要とされた場合などに、再設定し直すかを判定する。
【００３２】
ステップＳ９では、ステップＳ８にてＬＯＣＫスイッチを再設定しない場合に移行し、ＬＯＣＫスイッチを解除して再度初めから設定し直すか、一度設定した状態で撮影を続行するかを判定する。なお、ステップＳ９は、ステップＳ８における判定結果を再確認する役目を果たすので、省略することが出来る。
【００３３】
図７は、操作パネルの第２実施形態を示す正面図であり、カメラの操作パネル５０を拡大して示している。
【００３４】
各種撮影モードは、機械式モードダイヤル５１ａ〜５１ｆを回転することで設定される。設定後に、併設されたロックスイッチ５２ａ〜５２ｆをＯＮにすると、機械式ロックによりモードダイヤル５１ａ〜５１ｆのダイヤル回転が不能となり、例えば、シャッター速度をある一定の速度に固定することが可能となる。ロックスイッチ５２ａ〜５２ｆをＯＦＦすれば、モードダイヤル５１ａ〜５１ｆの機械式ロックは解除される。
【００３５】
図８は、操作パネルの第３実施形態を示す正面図であり、カメラの操作パネル６０を拡大して示している。操作パネル６０は、液晶等の表示装置の表面に設けられて、タッチパネル６１ａ〜６１ｆを操作して設定された値が表示されている。例えば、図１の背面液晶９０が操作パネル６０を兼ねても良い。
【００３６】
タッチパネル６１ａはシャッター速度を変更するパネルである。タッチパネル６１ｂは、測光モード被写体に当たる光を測定する範囲を変更させるパネルであり、被写体により中央部重点測光、スポット測光、マルチ測光などのモードを使い分けることができる。図８では中央部重点測光の場合を例示している。タッチパネル６１ｃは、ドライブを変更するパネルであり、一度に撮影可能な枚数を変更するモードを使い分けることができる。一般的に１コマ撮影（Ｓ）、スロー連続撮影（Ｈｓ）、高速連続撮影（Ｈｃ）に分けられる。図８では高速連続撮影の場合を例示している。タッチパネル６１ｄは、絞りを変更するパネルである。タッチパネル６１ｅは、露出補正を行うパネルである。カメラが表示する適正露出を意図的に変更することができる。図８は、適正露出より２段開放側に補正する場合を例示している。タッチパネル６１ｆは、ホワイトバランスを変更するパネルである。白い被写体に対して、色の調整を行うモードを使い分けることができる。図８は、使用者が色合いを決定するモードを選択した場合を例示している。
【００３７】
各種撮影モードは、タッチパネル６１ａ〜６１ｆに指で触ることで設定される。設定後に、併設されたロックスイッチ６２ａ〜６２ｆに指で触ることでＯＮにすると、電気式ロックによりタッチパネル６１ａ〜６１ｆの設定変更が不能となり、例えば、シャッター速度をある一定の速度に固定することが可能となる。ロックスイッチ６２ａ〜６２ｆに指で触ることでＯＦＦすれば、タッチパネル６１ａ〜６１ｆの電気式ロックは解除される。
【００３８】
図９は、操作パネルの第３実施形態を示す概念図である。カメラには、ロックスイッチ６２ａ〜６２ｆ（ロック部材）がタッチパネル６１ａ〜６１ｆ（操作部材）を選択的にロックする組合せを複数組記憶した不図示のメモリー（記憶手段）と、このメモリー（記憶手段）に記憶されている複数の組合せから任意の１の組合せを選択するタッチパネル６１ｇ〜６１ｉ（図８参照）を具備する。
【００３９】
タッチパネル６１ｇは、ポートレートモードにおいて、タッチパネル６１ａ〜６１ｆを選択的にロックする３種類の組合せの中から１つを選択操作するタッチパネルである。タッチパネル６１ｈは、遠景モードにおいて、タッチパネル６１ａ〜６１ｆを選択的にロックする３種類の組合せの中から１つを選択操作するタッチパネルである。タッチパネル６１ｉは、スポーツモードにおいて、タッチパネル６１ａ〜６１ｆを選択的にロックする３種類の組合せの中から１つを選択操作するタッチパネルである。
【００４０】
即ち、使用者が希望する撮影モードを選択した際、あらかじめロック可能なアイテムの組合せを数通り（実施形態では３種類）有し、そのうちの１種類を使用する場合を示したものである。例えば、ポートレートモードを選択した場合に、シャッター速度以下６項目は、ロックをＯＦＦかＯＮにするかで図９のような組合せが設定されている。同様にして、遠景モードやスポーツモードでも図９のような組合せを用意し、使用者が希望に応じて最適なモードを選択することで、素早く撮影への対応を取ることが可能となり、また、誤信号の入力を防止する効果が期待できる。
【００４１】
【発明の効果】
本発明によれば、操作部を誤操作することによる入力を防止することが可能となる。
【図面の簡単な説明】
【図１】  操作パネルの第１実施形態を示す背面図である。
【図２】  操作パネルの第１実施形態を示す背面図である。
【図３】  操作パネルの第１実施形態を示す背面図である。
【図４】  操作パネルの第１実施形態を示すブロック結線図である。
【図５】  操作パネルの第１実施形態を示すフローチャートである。
【図６】  操作パネルの第１実施形態を示す概念図である。
【図７】  操作パネルの第２実施形態を示す正面図である。
【図８】  操作パネルの第３実施形態を示す正面図である。
【図９】  操作パネルの第３実施形態を示す概念図である。
【符号の説明】
１０ａ  本体
１０ｂ  上カバー
２０ａ  操作部材
２０ｂ  操作部材
２１ａ  操作部材
２１ｂ  操作部材
２１ｃ  操作部材
３１    レリーズスイッチ
３２    レリーズスイッチ
３３    ＯＦＦスイッチ
３４    ＳＥＴスイッチ
３５    ＬＯＣＫスイッチ
３６    主電源スイッチ
３７    制御回路
３８    機能入力装置
３９    機能ロック装置
４０    撮影装置
４１    撮影モードオート装置
５０    操作パネル
５１ａ〜５１ｆ  機械式モードダイヤル
５２ａ〜５２ｆ  ロックスイッチ
６０    操作パネル
６１ａ〜６１ｉ  タッチパネル
６２ａ〜６２ｆ  ロックスイッチ
７０    ファインダ−カバー部
８０    ファインダ−接眼窓
９０    背面液晶
１００    ロックスイッチ
１００ａ  レバー
【図１】
0004915491.tif 000002
【図２】
0004915491.tif 000003
【図３】
0004915491.tif 000004
【図４】
0004915491.tif 000005
【図５】
0004915491.tif 000006
【図６】
0004915491.tif 000007
【図７】
0004915491.tif 000008
【図８】
0004915491.tif 000009
【図９】
0004915491.tif 000010